(57)【特許請求の範囲】
【請求項１】
ヘルメットの着用者の頭部の立体形状を測定した頭部形状データを取得する頭部形状取得ステップと、
ヘルメット内面の立体形状を示す内面形状データを入力する内面形状入力ステップと、
前記頭部形状データと前記内面形状データに基づいて、前記頭部と前記ヘルメット内面の間隔を示す間隔情報を取得する間隔情報取得ステップと、
前記頭部形状データ及び前記内面形状データのうちの少なくとも前記内面形状データを示す形状画像に、前記間隔情報を示す付加画像を重畳して、表示部に表示させる表示ステップと、
を有し、
前記表示ステップにおいて、前記ヘルメット内面に追加するパットの各々に対応する前記付加画像を、前記形状画像に重畳して表示させる、
ヘルメットの被り心地の調整方法。
【請求項２】
前記表示部に表示された前記付加画像に基づいて、前記ヘルメット内面に追加するパットの形態を特定する特定ステップと、
前記特定ステップで特定された前記形態に対応するパッドを、前記ヘルメット内面の所定の装着部位に装着する装着ステップと、を更に有する、
請求項１に記載のヘルメットの被り心地の調整方法。
【請求項３】
前記ヘルメット内面に装着される前記パッドは、前記ヘルメット内面の装着部位毎に予め定められており、
前記特定ステップにおいて、装着部位毎に、所定厚さの前記パットを重ねる枚数と、基準形状の前記パットから裁断する裁断形状とを特定する、
請求項２に記載のヘルメットの被り心地の調整方法。
【請求項４】
前記表示ステップにおいて、前記形状画像中の前記装着部位に前記付加画像を重畳して、前記表示部に表示させる、
請求項２又は３に記載のヘルメットの被り心地の調整方法。
【請求項５】
前記装着部位毎に重畳される前記付加画像は、
前記頭部と前記ヘルメット内面の間隔の大きさに応じて区分された複数の領域と、
隣接する前記領域を区画する境界線と、を含む、
請求項４に記載のヘルメットの被り心地の調整方法。
【請求項６】
前記特定ステップにおいて、前記領域及び前記境界線に基づいて、基準形状の前記パットから裁断する裁断形状を特定する、
請求項５に記載のヘルメットの被り心地の調整方法。
【請求項７】
前記表示ステップにおいて、前記付加画像として、前記頭部の表面全体に対して前記間隔の大きさを識別する態様の画像を表示させる、
請求項１から６のいずれか１項に記載のヘルメットの被り心地の調整方法。
【請求項８】
前記表示ステップにおいて、前記付加画像として、前記間隔の大きさに応じて色の種類及び色の濃淡の少なくとも一方を異ならせた画像を表示させる、
請求項７に記載のヘルメットの被り心地の調整方法。
【請求項９】
前記頭部形状データが示す頭部形状画像と前記内面形状データが示す内面形状画像とが前記表示部上で重なるように、前記頭部形状画像及び前記内面形状画像の表示位置を調整する位置調整ステップを更に有し、
前記間隔情報取得ステップにおいて、前記位置調整ステップで位置が調整された前記頭部形状画像及び前記内面形状画像のうちの少なくとも前記内面形状データを示す形状画像に、前記間隔情報を取得する、
請求項１から８のいずれか１項に記載のヘルメットの被り心地の調整方法。
【請求項１０】
前記内面形状入力ステップは、前記頭部の立体形状を測定した測定器で前記ヘルメットの本体内面の立体形状を測定した内面形状データを入力する、
請求項１から９のいずれか１項に記載のヘルメットの被り心地の調整方法。
【請求項１１】
ヘルメットの着用者の頭部の立体形状を測定した頭部形状データを取得する頭部形状取得部と、
ヘルメット内面の立体形状を示す内面形状データを入力する内面形状入力部と、
前記頭部形状データと前記内面形状データに基づいて、前記頭部と前記ヘルメット内面の間隔を示す間隔情報を取得する間隔情報取得部と、
前記頭部形状データ及び前記内面形状データのうちの少なくとも前記内面形状データを示す形状画像に、前記間隔情報を示す付加画像を重畳して、表示部に表示させる表示制御部と、
を備え、
前記表示制御部は、前記ヘルメット内面に追加するパットの各々に対応する前記付加画像を、前記形状画像に重畳して表示させる、
ヘルメットの被り心地の調整用の情報処理装置。
【発明の詳細な説明】
【技術分野】
【０００１】
本発明は、ヘルメットの被り心地の調整方法及び調整用の情報処理装置に関する。
【背景技術】
【０００２】
ヘルメットは、頭部を保護する目的で、自転車や自動二輪車の乗員に着用されている。ヘルメットは、通常、所定のサイズ毎に分類されているが、ヘルメットを着用する着用者の頭部の形状は、着用者毎に異なる。このため、例えば着用者がヘルメットを購入する際には、着用者は、頭部の周囲長を実測して、対応する適合サイズのヘルメットを選定している。
【０００３】
ところが、ヘルメットの内面が、均一な形状（例えば、楕円形状）を成しているのに対して、着用者の頭部は、ヘルメットの内面形状とは異なり不規則な形状を成している。このため、着用者の頭部が圧迫されたり、ヘルメット内面と頭部との間に隙間が生じたりして、着用者は被り心地が悪いと感じる。そこで、頭部を実測する測定具として、例えば特許文献１に開示された頭部サイズ測定具が知られている。特許文献１では、頭部サイズ測定具によって着用者の頭部の前後長サイズ、左右幅サイズ及び上頭部高さサイズを測定して、ヘルメットの内面と頭部の間の隙間を埋めるパッドを選定している。
【先行技術文献】
【特許文献】
【０００４】
【特許文献１】特許第５８１４７７３号公報
【発明の概要】
【発明が解決しようとする課題】
【０００５】
しかし、上述した特許文献１の頭部サイズ測定具は、頭部の所定の点で測定しているため、その他の部分の形状は把握できない。すなわち、頭部全体の複雑な形状を把握できない。この結果、頭部全体にヘルメットをフィットさせるように、調整することが困難となる。すなわち、着用者にとって真に被り心地の良いヘルメットを実現できない。
【０００６】
そこで、本発明はこれらの点に鑑みてなされたものであり、着用者の複雑な頭部形状に適する被り心地の良いヘルメットを得るための調整方法を提供することを目的とする。
【課題を解決するための手段】
【０００７】
本発明の第１の態様においては、ヘルメットの着用者の頭部の立体形状を測定した頭部形状データを取得する頭部形状取得ステップと、ヘルメット内面の立体形状を示す内面形状データを入力する内面形状入力ステップと、前記頭部形状データと前記内面形状データに基づいて、前記頭部と前記ヘルメット内面の間隔を示す間隔情報を取得する間隔情報取得ステップと、前記頭部形状データ及び前記内面形状データのうちの少なくとも前記内面形状データを示す形状画像に、前記間隔情報を示す付加画像を重畳して、表示部に表示させる表示ステップと、を有する、ヘルメットの被り心地の調整方法を提供する。
【０００８】
また、前記ヘルメットの調整方法は、前記表示部に表示された前記付加画像に基づいて、前記ヘルメット内面に追加するパットの形態を特定する特定ステップと、前記特定ステップで特定された前記形態に対応するパッドを、前記ヘルメット内面の所定の装着部位に装着する装着ステップと、を更に有することとしてもよい。
【０００９】
また、前記ヘルメット内面に装着される前記パッドは、前記ヘルメット内面の装着部位毎に予め定められており、前記特定ステップにおいて、装着部位毎に、所定厚さの前記パットを重ねる枚数と、基準形状の前記パットから裁断する裁断形状とを特定することとしてもよい。
【００１０】
また、前記表示ステップにおいて、前記形状画像中の前記装着部位に前記付加画像を重畳して、前記表示部に表示させることとしてもよい。
【００１１】
前記装着部位に重畳される前記付加画像は、前記頭部と前記ヘルメット内面の間隔の大きさを複数の範囲に区分した場合に、前記間隔情報から特定される各範囲に対応する複数の領域画像と、隣接する前記領域画像の境界線と、を含むこととしてもよい。
【００１２】
また、前記特定ステップにおいて、前記領域画像及び前記境界線に基づいて、基準形状の前記パットから裁断する裁断形状を特定することとしてもよい。
【００１３】
また、前記表示ステップにおいて、前記付加画像として、前記頭部の表面全体に対して前記間隔の大きさを識別する態様の画像を表示させることとしてもよい。
【００１４】
また、前記表示ステップにおいて、前記付加画像として、前記間隔の大きさに応じて色の種類及び色の濃淡の少なくとも一方を異ならせた画像を表示させることとしてもよい。
【００１５】
また、前記ヘルメットの調整方法は、前記頭部形状データが示す頭部形状画像と前記内面形状データが示す内面形状画像とが前記表示部上で重なるように、前記頭部形状画像及び前記内面形状画像の表示位置を調整する位置調整ステップを更に有し、前記間隔情報取得ステップにおいて、前記位置調整ステップで位置が調整された前記頭部形状画像及び前記内面形状画像のうちの少なくとも前記内面形状データを示す形状画像に、前記間隔情報を取得することとしてもよい。
【００１６】
また、前記内面形状入力ステップは、前記頭部の立体形状を測定した測定器で前記ヘルメットの本体内面の立体形状を測定した内面形状データを入力することとしてもよい。
【００１７】
本発明の第２の態様においては、ヘルメットの着用者の頭部の立体形状を測定した頭部形状データを取得する頭部形状取得部と、ヘルメット内面の立体形状を示す内面形状データを入力する内面形状入力部と、前記頭部形状データと前記内面形状データに基づいて、前記頭部と前記ヘルメット内面の間隔を示す間隔情報を取得する間隔情報取得部と、前記頭部形状データ及び前記内面形状データのうちの少なくとも前記内面形状データを示す形状画像に、前記間隔情報を示す付加画像を重畳して、表示部に表示させる表示制御部と、を備える、ヘルメットの被り心地の調整用の情報処理装置を提供する。
【発明の効果】
【００１８】
本発明によれば、着用者の複雑な頭部形状に適するようにヘルメットの被り心地を調整できるという効果を奏する。
【図面の簡単な説明】
【００１９】
【図１】着用者Ｕに装着されているヘルメット１を示す模式図である。
【図２】ヘルメット１を下方から見た図である。
【図３】内装パッド３の構成の一例を示す図である。
【図４】ヘルメットの被り心地の調整用の情報処理装置１０の構成の一例を示すブロック図である。
【図５】測定装置２０による着用者Ｕの頭部の立体形状の測定方法を説明するための模式図である。
【図６】頭部形状画像Ｇ１と内面形状画像Ｇ２の表示位置の調整を説明するための図である。
【図７】付加画像の表示形態の一例を説明するための模式図である。
【図８】装着部位に重畳される付加画像の表示形態の一例を説明するための模式図である。
【図９】装着部位に重畳される付加画像の表示形態の一例を説明するための模式図である。
【図１０】装着部位に重畳される付加画像の表示形態の一例を説明するための模式図である。
【図１１】追加パッドの作成方法を説明するための図である。
【図１２】ヘルメット１の被り心地の調整の流れの一例を示すフローチャートである。
【発明を実施するための形態】
【００２０】
＜１．ヘルメットの概要＞
図１〜図３を参照しながら、本発明の一実施形態に係るヘルメット１の概要について説明する。
図１は、着用者Ｕに装着されているヘルメット１を示す模式図である。図２は、ヘルメット１を下方から見た図である。
【００２１】
ヘルメット１は、ここでは自動二輪車の乗員である着用者Ｕが着用するフルフェイス型ヘルメットであり、着用者Ｕの頭部を保護する。ヘルメット１は、予め所定のサイズ（例えば、Ｓサイズ、Ｍサイズ、Ｌサイズ等）に分類されている。ヘルメット１は、図１に示すように、前面開口２と、内装パッド３とを有する。
【００２２】
前面開口２は、ヘルメット１を着用した着用者Ｕが前方視野を確保できるように、開口になっている部分である。前面開口２には、前面開口２を覆うシールドが着脱可能に装着されてもよい。
【００２３】
内装パッド３は、ヘルメット内面１ａに装着されている。具体的には、内装パッド３は、ヘルメット内面１ａのうちの着用者Ｕの頭部に接する部分に、装着されている。内装パッド３は、着用者Ｕの頭部をヘルメット内面１ａに密着させる機能を有する。
【００２４】
図３は、内装パッド３の構成の一例を示す図である。内装パッド３は、複数のパッドで構成されている。具体的には、図３に示すように、内装パッド３は、センターパッド３１と、チークパッド３２ａ、３２ｂと、追加パッド３３、３４、３５ａ〜３５ｄ、３６ａ〜３６ｃとで構成されている。
【００２５】
センターパッド３１は、着用者Ｕの額から後頭部にかけて覆うパッドである。センターパッド３１は、ヘルメット１の大きさに合わせて用意されている。チークパッド３２ａ、３２ｂは、着用者Ｕの左右の頬を押さえる一対のパッドである。
【００２６】
追加パッド３３、３４、３５ａ〜３５ｄ、３６ａ〜３６ｃは、内装パッド３の厚さを調整するために追加で取り付けられるパッドである。追加パッド３３、３４、３５ａ〜３５ｄ、３６ａ〜３６ｃは、センターパッド３１の外側面とヘルメット内面１ａとの間に配置されている。追加パッド３３、３４、３５ａ〜３５ｄ、３６ａ〜３６ｃは、例えば粘着剤、接着剤、接着テープ等によって、センターパッド３１の外側面に取り付けられている。また、追加パッド３３、３４、３５ａ〜３５ｄ、３６ａ〜３６ｃのヘルメット内面１ａにおける装着部位は、予め定められている。
【００２７】
ところで、ヘルメット内面１ａは、統計上の一般的な着用者の頭部の平均的な形状に合わせて、成形されている。これに対して、実際の着用者の頭部は、平均的な形状とは大きく異なる形状の場合がある。このため、ヘルメット内面１ａと着用者の頭部との間隔は、頭部の部位に応じて大きさが異なる。
本実施形態においては、詳細は後述するが、ヘルメット１を実際に着用する着用者の頭部の立体形状を示す頭部形状データと、ヘルメット内面１ａの立体形状を示す内面形状データとに基づいて間隔情報を求め、間隔情報を示す付加画像を形状画像に重畳して表示部１３に表示させる。これにより、ヘルメット１の被り心地の調整を行う作業者は、着用者の頭部全体とヘルメット１の間の間隔（隙間）を容易かつ高精度に把握できる。
【００２８】
＜２．ヘルメットの被り心地の調整用の情報処理装置の構成＞
図４を参照しながら、本発明の一実施形態に係るヘルメットの被り心地の調整用の情報処理装置１０の構成について説明する。
【００２９】
図４は、ヘルメットの被り心地の調整用の情報処理装置１０の構成の一例を示すブロック図である。情報処理装置１０は、例えばヘルメット１を販売する販売店に設けられており、店員等の作業者が、ヘルメット１の購入者の頭部の形状に合わせてヘルメット１の調整を行うために操作を行う装置である。情報処理装置１０は、図４に示すように、通信部１１と、操作部１２と、表示部１３と、記憶部１４と、制御部１５とを有する。
【００３０】
通信部１１は、外部機器との間で通信を行う通信インターフェイス（以下、通信ＩＦ）である。通信部１１は、３Ｄスキャナ等の測定装置２０との間で通信を行い、情報を送受信する。例えば、通信部１１は、測定装置２０との間で無線又は有線で通信を行い、測定装置２０が測定した測定データを受信する。
【００３１】
操作部１２は、例えばキーボードやマウス等により構成される。作業者は、例えばヘルメット１の調整を行う際に、操作部１２によって入力操作を行う。
【００３２】
表示部１３は、例えば液晶ディスプレイや有機ＥＬ（Electro-Luminescence）ディスプレイ等により構成される。表示部１３は、測定装置２０の測定データを表示する。また、表示部１３は、詳細は後述するが、ヘルメット１と装着者の頭部との間の間隔情報を付加画像として表示する。
【００３３】
記憶部１４は、例えばＲＯＭ及びＲＡＭ等により構成され、制御部１５が実行するための各種プログラムや各種データを記憶する。例えば、記憶部１４は、測定装置２０が測定した測定データを記憶する。
【００３４】
制御部１５は、例えばＣＰＵにより構成される。制御部１５は、記憶部１４に記憶されている各種プログラムを実行することにより、情報処理装置１０の動作を制御する。本実施形態では、制御部１５は、頭部形状取得部１５１、内面形状入力部１５２、位置調整部１５３、間隔情報取得部１５４及び表示制御部１５５として機能する。
【００３５】
（頭部形状取得部１５１）
頭部形状取得部１５１は、ヘルメット１の着用者の頭部の立体形状を示す頭部形状データを取得する。具体的には、頭部形状取得部１５１は、測定装置２０が着用者の頭部の立体形状を測定した測定データである頭部形状データを取得する。頭部形状取得部１５１は、取得した頭部形状データから頭部形状画像を生成し、位置調整部１５３へ頭部形状画像を出力する。
【００３６】
測定装置２０は、ここでは非接触式の３Ｄスキャナである。例えば、測定装置２０は、光線を着用者Ｕの頭部に当てて反射する時間差や照射角度を解析することで、頭部の立体形状を取得する。なお、３Ｄスキャナは、光線方式に限定されず、例えば写真を撮像する方式であってもよい。また、上記では測定装置２０が３Ｄスキャナであることとしたが、これに限定されず、頭部を測定可能な装置であれば他の装置であってもよい。
【００３７】
図５は、測定装置２０による着用者Ｕの頭部の立体形状の測定方法を説明するための模式図である。測定装置２０は、図５に示すように着用者Ｕの頭部から離れており、ヘアキャップで覆われている頭部を測定している。測定の際に、着用者Ｕは、回転テーブル（不図示）上に座った状態で、顎を支持棒２５上に載せた状態を維持する。そして、着用者Ｕが回転テーブルによって図５の矢印方向に回転する際に、支持脚２１に固定された測定装置２０が着用者Ｕの頭部を測定する。これにより、精度良く着用者Ｕの頭部の立体形状を測定できる。
【００３８】
（内面形状入力部１５２）
内面形状入力部１５２には、ヘルメット１の内面の立体形状を示す内面形状データが入力される。具体的には、測定装置２０が測定したヘルメット内面１ａの立体形状を測定した内面形状データが、内面形状入力部１５２に入力される。内面形状入力部１５２は、入力された内面形状データから内面形状画像を生成し、位置調整部１５３へ頭部形状画像を出力する。
【００３９】
ヘルメット内面１ａの立体形状の測定の際に、測定装置２０は、ヘルメット１の底面側からヘルメット内面１ａの立体形状を測定する。この際、ヘルメット１には、内装パッド３が装着されていない。このように、測定装置２０は、着用者の頭部の立体形状に加えて、ヘルメット内面１ａの立体形状を測定する。これにより、実際のヘルメット内面１ａの立体形状を高精度に取得できる。
【００４０】
なお、上記では、測定装置２０がヘルメット内面１ａの立体形状を測定した内面形状データを内面形状入力部１５２に入力することとしたが、これに限定されない。例えば、ヘルメット１の設計データから内面形状データを取り出して内面形状入力部１５２に入力してもよい。かかる場合には、測定装置２０による測定が不要となる。
【００４１】
（位置調整部１５３）
位置調整部１５３は、頭部形状取得部１５１が取得した頭部形状データが示す頭部形状画像の表示位置と、内面形状入力部１５２が生成した内面形状画像の表示位置とを調整する。具体的には、位置調整部１５３は、頭部形状画像と内面形状画像とが表示部１３上で重なるように、頭部形状画像及び内面形状画像の表示位置を調整する。
【００４２】
図６は、頭部形状画像Ｇ１と内面形状画像Ｇ２の表示位置の調整を説明するための図である。ここでは、図６に示すように、頭部形状画像Ｇ１と内面形状画像Ｇ２とが、分離して表示されているものとする。この状態で、作業者が操作部１２により頭部形状画像Ｇ１と内面形状画像Ｇ２とを一致させる入力操作を行うと、表示部１３上で頭部形状画像Ｇ１と内面形状画像Ｇ２とを重ねるように表示位置を調整する。なお、内面形状画像Ｇ２には、着用者を想定したダミー画像Ｇ２ａが含まれており、作業者は頭部形状画像Ｇ１をダミー画像Ｇ２ａに一致させるように入力操作を行う。また、頭部形状画像Ｇ１及び内面形状画像Ｇ２は、それぞれ表示部１３上で回転可能に表示される。これにより、立体形状である頭部形状画像Ｇ１及び内面形状画像Ｇ２を、３次元上で重ねやすくなる。
【００４３】
（間隔情報取得部１５４）
間隔情報取得部１５４は、頭部形状データと内面形状データに基づいて、着用者の頭部とヘルメット１の内面との間隔を示す間隔情報を取得する。具体的には、間隔情報取得部１５４は、作業者が間隔情報を取得するための入力操作を行うと、位置調整部１５３により重なった状態の頭部形状画像Ｇ１及び内面形状画像Ｇ２に基づいて、着用者の頭部とヘルメット１の内面との間隔情報を取得する。
【００４４】
間隔情報取得部１５４は、間隔情報として、頭部の表面全体とヘルメット内面１ａの全体との間隔（隙間）に関する情報を取得する。これにより、頭部の表面全体とヘルメット内面１ａの全体との間隔を把握することができる。
【００４５】
（表示制御部１５５）
表示制御部１５５は、表示部１３の表示を制御する。本実施形態では、表示制御部１５５は、頭部形状データ及び内面形状データのうちの少なくとも内面形状データを示す形状画像に、間隔情報取得部１５４が取得した間隔情報を示す付加画像を重畳して、表示部１３に表示させる。ここでは、表示制御部１５５は、重なった状態の頭部形状画像Ｇ１及び内面形状画像Ｇ２に付加画像を重畳して、表示部１３に表示させる。これにより、作業者は、表示部１３に表示された形状画像及び付加画像を見ることで、ヘルメット内面１ａの各部における着用者の頭部全体との隙間を容易に把握できる。
【００４６】
表示制御部１５５は、付加画像として、着用者の頭部の表面全体に対してヘルメット１との間隔の大きさを識別する態様の画像を表示させる。例えば、表示制御部１５５は、付加画像として、間隔の大きさに応じて色の種類や色の濃淡を異ならせた画像を表示させる。これにより、作業者は、ヘルメット内面１ａの各部における着用者の頭部全体との隙間の大きさを容易に把握できる。付加画像は、例えば、間隔情報取得部１５４が取得した間隔情報に基づいて、表示制御部１５５によって生成される。
【００４７】
図７は、付加画像の表示形態の一例を説明するための模式図である。図７では、重なった状態の頭部形状画像Ｇ１及び内面形状画像Ｇ２上に、付加画像Ｇ３が重畳して表示されている。付加画像Ｇ３は、ここでは内面形状画像Ｇ２と同じ大きさの画像であり、複数の領域Ｒ１ａ〜Ｒ１ｇに分けられている。領域Ｒ１ａ〜Ｒ１ｇは、頭部とヘルメット１との間の間隔の大きさに応じて分けられている。領域Ｒ１ａ〜Ｒ１ｇは、実際には識別しやすいように、色の種類が異なったり色の濃淡が異なったりしている。すなわち、表示制御部１５５は、カラーマッピングによって、間隔の大きさを表示している。なお、図７に示す破線は、領域Ｒ１〜Ｒ７に色を付す代わりに、領域Ｒ１ａ〜Ｒ１ｇを識別するために便宜上示しているものである。
【００４８】
なお、図７では、ヘルメット１の側面に対応する画像が表示されているが、実際には、頭部形状画像Ｇ１及び内面形状画像Ｇ２を表示部１３上で回転させると、表示制御部１５５は、図７に示す部分とは反対側においても付加画像を表示させる。これにより、作業者は、表示部１３上で画像を回転させることで、ヘルメット内面１ａの各部における着用者の頭部全体との隙間を容易に把握できる。
【００４９】
表示制御部１５５は、ヘルメット内面１ａにおいて追加パッド（例えば、図３に示す追加パッド３５ａ等）が装着される装着部位に付加画像を重畳して、表示部１３に表示させる。これにより、作業者は、表示部１３に表示された付加画像を見ることで、追加パッドが装着される装着部位における隙間を容易に把握できる。この結果、作業者は、隙間に適した追加パッドの厚さや形状を把握できる。
【００５０】
図８は、装着部位に重畳される付加画像の表示形態の一例を説明するための模式図である。図８には、ヘルメット１の側面の装着部位に重畳された付加画像Ｇ４が示されている。付加画像Ｇ４は、複数の領域Ｒ２ａ〜Ｒ２ｉと、隣接する領域の境界線とを含んでいる。領域Ｒ２ａ〜Ｒ２ｉは、着用者の頬部とヘルメット内面１ａとの間隔の大きさを複数の範囲に区分した場合に、各範囲に対応する領域である。複数の領域Ｒ２ａ〜Ｒ２ｉは、それぞれ色の種類や色の濃淡が異なっている。境界線は、隣接する領域を区画する線であり、実線で示されている。
【００５１】
図９は、装着部位に重畳される付加画像の表示形態の一例を説明するための模式図である。図９には、ヘルメット１の頭頂部側の装着部位に重畳された付加画像Ｇ５が示されている。付加画像Ｇ５も、図８に示す付加画像Ｇ４と同様な形態で示されている。すなわち、付加画像Ｇ５は、複数の領域Ｒ３ａ〜Ｒ３ｆと、隣接する領域の境界線とを含んでいる。表示制御部１５５は、作業者が操作部１２により所望の装着部位を選択すると、選択された装着部位に重畳される付加画像を表示する。
【００５２】
なお、上記では、重なった状態の頭部形状画像Ｇ１及び内面形状画像Ｇ２上に、付加画像Ｇ３〜Ｇ５を重畳して表示することとしたが、これに限定されない。例えば、図１０に示すように、表示部１３に表示される内面形状画像Ｇ２上に付加画像を重畳して表示してもよい。
【００５３】
図１０は、装着部位に重畳される付加画像の表示形態の一例を説明するための模式図である。図１０では、表示部１３に頭部形状画像Ｇ１が表示されておらず、内面形状画像Ｇ２において追加パッドが装着される装着部位に、付加画像Ｇ４を重畳して表示している。
【００５４】
また、上記では、表示部１３において、追加パッドが装着される装着部位に付加画像を一つずつ重畳して表示させることとしたが、これに限定されず、複数の付加画像を纏めて表示させてもよい。
【００５５】
また、上記では、付加画像が色の異なる複数の領域の画像であることとしたが、これに加えて、頭部とヘルメット内面１ａとの間の間隔の最大値や最小値を示す情報も含めてもよい。かかる場合には、間隔（隙間）の大きさを数値で把握できる。
【００５６】
上述したヘルメットの被り心地の調整用の情報処理装置１０によれば、頭部形状画像Ｇ１及び内面形状画像Ｇ２に、頭部形状データ及び内面形状データから求めた間隔情報を示す付加画像を重畳して、表示部１３に表示させる。これにより、ヘルメット１の被り心地の調整を行う作業者等は、表示部１３に表示された付加画像を見ることで、頭部全体とヘルメット内面１ａとの間隔（隙間）を容易かつ高精度に把握できる。この結果、間隔を埋めるために、追加パッドの選定等の事後策を講じやすくなる。
【００５７】
＜３．追加パッドの形態特定及び作成方法について＞
以下では、ヘルメット１に装着される追加パッドの形態特定及び作成方法について説明する。
【００５８】
まず、作業者は、表示部１３に表示された付加画像に基づいて、ヘルメット１の内面に装着する追加パッドの形態を特定する。例えば、作業者は、追加パッドの装着部位に重畳される付加画像に基づいて、追加パッドの厚さや形状を特定する。
【００５９】
本実施形態では、所定の厚さ及び基準形状の追加パッドが、ヘルメット１の装着部位に重ねて装着されるようになっている。そこで、作業者は、表示部１３に表示された付加画像に基づいて、追加パッドを重ねる枚数と、追加パッドの基準形状から裁断する裁断形状とを特定して、装着される追加パッドの形態を調整する。例えば、作業者は、付加画像における複数の領域（例えば、図９に示す付加画像Ｇ５の領域Ｒ３ａ〜Ｒ３ｆ）と境界線に基づいて、基準形状から裁断した裁断形状を特定する。かかる場合には、境界線に基づいて裁断形状を特定できるので、容易に裁断形状を特定できる。
【００６０】
図１１は、追加パッドの作成方法を説明するための図である。ここでは、図９に示す付加画像Ｇ５に基づいて、３枚の追加パッド３８、３８ａ、３８ｂを重ねるものとする。１枚目の追加パッド３８の形状は、基準形状と同じ形状である。一方で、２枚目の追加パッド３８ａ及び３枚目の追加パッド３８ｂは、付加画像Ｇ５の境界線に沿って基準形状から裁断したものである。作業者は、１枚目の追加パッド３８の上に、裁断後の２枚目の追加パッド３８ａ及び３枚目の追加パッド３８ｂを重ねる。これにより、装着部位に装着すべき立体形状の追加パッド３９を作成できる。
【００６１】
また、作業者は、付加画像に基づいて形態が特定された追加パッドを、ヘルメット内面１ａの所定の装着部位に装着する。すなわち、作業者は、図１１に示す作成後の追加パッド３９を、ヘルメット内面１ａの装着部位に装着する。これにより、着用者の頭部とヘルメット１との間の隙間を埋めるように、追加パッド３９を装着部位に装着できる。
【００６２】
なお、上記では、作業者が、基準形状から追加パッドを裁断することとしたが、これに限定されない。例えば、付加画像のデータに基づいて、成形装置によって追加パッドを成形してもよい。
【００６３】
＜４．ヘルメットの被り心地の調整の流れ＞
図１２を参照しながら、ヘルメット１の被り心地の調整の具体的な流れについて説明する。
【００６４】
図１２は、ヘルメット１の被り心地の調整の流れの一例を示すフローチャートである。まず、頭部形状取得部１５１は、ヘルメット１の着用者の頭部の立体形状を測定した頭部形状データを取得する（ステップＳ１０２）。具体的には、頭部形状取得部１５１は、図５に示すように測定装置２０が着用者Ｕの頭部の立体形状を測定した測定データである頭部形状データを取得する。
【００６５】
次に、内面形状入力部１５２に、ヘルメット内面１ａの立体形状を示す内面形状データを入力する（ステップＳ１０４）。具体的には、内面形状入力部１５２には、頭部形状データと同様に、測定装置２０がヘルメット１の内面の立体形状を測定した内面形状データが入力される。
【００６６】
次に、位置調整部１５３は、頭部形状画像と内面形状画像とが表示部１３上で重なるように、頭部形状画像及び内面形状画像の表示位置を調整する（ステップＳ１０６）。例えば、作業者が、図６に示すように、表示部１３の画面において頭部形状画像Ｇ１と内面形状画像Ｇ２を重ねるように操作を行うと、位置調整部１５３は、頭部形状画像Ｇ１及び内面形状画像Ｇ２の表示位置を調整する（図７参照）。
【００６７】
次に、間隔情報取得部１５４は、頭部形状データと内面形状データに基づいて、頭部とヘルメット１の内面との間隔を示す間隔情報を取得する（ステップＳ１０８）。例えば、間隔情報取得部１５４は、作業者が間隔情報を取得するための入力操作を行うと、重なった状態の頭部形状画像Ｇ１及び内面形状画像Ｇ２に基づいて、頭部の表面全体とヘルメット１の内面全体との間隔（隙間）に関する情報を取得する。
【００６８】
次に、表示制御部１５５は、頭部形状画像Ｇ１及び内面形状画像Ｇ２に、間隔情報を示す付加画像を重畳して、表示部１３に表示させる（ステップＳ１１０）。具体的には、表示制御部１５５は、間隔情報から付加画像を生成して、例えば図７〜図１０に示すように内面形状画像Ｇ２に付加画像Ｇ３〜Ｇ５を重畳して表示させる。作業者は、付加画像Ｇ３〜Ｇ５を見ることで、着用者の頭部とヘルメット内面１ａの間の隙間を容易に把握できる。
【００６９】
次に、作業者は、表示部１３に表示された付加画像に基づいて、ヘルメット１の内面に装着する追加パットの形態を特定する（ステップＳ１１２）。例えば、作業者は、図８〜図１０に示すように追加パッドが装着される装着部位に重畳して表示された付加画像Ｇ４、Ｇ５を参照して、追加パッドの形態を特定する。これにより、作業者は、追加パッドを重ねる枚数や、追加パッドの基準形状から裁断する裁断形状を特定できる。
【００７０】
次に、作業者は、ステップＳ１１２で特定された形態に対応する追加パッドを、ヘルメット１の内面の所定の装着部位に装着する（ステップＳ１１４）。例えば、作業者は、図１１に示すように、基準形状の１枚目の追加パッド３８上に、裁断した２枚目の追加パッド３８ａ及び３枚目の追加パッド３８ｂを重ねて、追加パッド３９を作成する。そして、作業者は、作成した追加パッド３９を、ヘルメット内面１ａの装着部位に装着する。
【００７１】
上述した実施形態によれば、作業者は、表示部１３に表示された付加画像（具体的には、追加パッドの装着部位に重畳された付加画像）に基づいて、追加パッドの最適な形態（厚さや形状）を特定できる。これにより、着用者の頭部の形状が不均一であっても、頭部とヘルメット１の隙間を適切に埋めることができる。
【００７２】
なお、上記においては、付加画像に基づいて追加パッドの厚さや形状を特定することとしたが、これに限定されない。例えば、付加画像に基づいて、追加パッドに加えてセンターパッドの厚さや形状を特定してもよい。
【００７３】
また、上記においては、ヘルメット１が自動二輪車の乗員に着用されるフルフェイス型ヘルメットであることとしたが、これに限定されない。例えば、ヘルメット１は自転車用ヘルメットであってもよい。
【００７４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００７５】
１    ヘルメット
１ａ    ヘルメット内面
３    内装パッド
１０    情報処理装置
１３    表示部
１５１    頭部形状取得部
１５２    内面形状入力部
１５３    位置調整部
１５４    間隔情報取得部
１５５    表示制御部
【図１】
0006734690.tif 000002
【図２】
0006734690.tif 000003
【図３】
0006734690.tif 000004
【図４】
0006734690.tif 000005
【図５】
0006734690.tif 000006
【図６】
0006734690.tif 000007
【図７】
0006734690.tif 000008
【図８】
0006734690.tif 000009
【図９】
0006734690.tif 000010
【図１０】
0006734690.tif 000011
【図１１】
0006734690.tif 000012
【図１２】
0006734690.tif 000013